(57)【要約】      （修正有）【課題】自転車又はオートバイの手柄上に取り付けたブレーキ警告装置を提供する。【解決手段】ブレーキ警告装置１０は、移動部、固定部、誘導スイッチ２８、及び提示ランプを含み、ブレーキ警告装置の移動部は、第１エジェクトピン固定ブロック２０、第２エジェクトピン固定ブロック２１、第１エジェクトピン２２、エジェクトピンバネ２３、第２エジェクトピン２４及び防護外バネ２５を含み、第１エジェクトピン固定ブロックと第２エジェクトピン固定ブロックとが嵌って一体に形成されることによりブレーキブルホーンに接続され、ブレーキ警告装置の固定部は、第１固定ブロック２６、第２固定ブロック２７を含み、第１固定ブロックと第２固定ブロックとが手柄上に取り付けることができるループ構造を形成するように組み立てられ、誘導スイッチが第１固定ブロック上に位置し、第２エジェクトピンが第１固定ブロックを通過して誘導スイッチに接触する。【選択図】図２
0003224554.tif 000002
【実用新案登録請求の範囲】
【請求項１】
自転車が付属するハンドルバー（４）とブレーキブルホーン（９）との間に取り付けるブレーキ警告装置（１０）と、提示ランプ（５０）とを含む自転車又はオートバイの手柄上に取り付けたブレーキ警告装置であって、
前記ブレーキ警告装置（１０）は、移動部、固定部、及び誘導スイッチ（２８）を含み、
前記ブレーキ警告装置（１０）の移動部は、第１エジェクトピン固定ブロック（２０）、第２エジェクトピン固定ブロック（２１）、第１エジェクトピン（２２）、エジェクトピンバネ（２３）、第２エジェクトピン（２４）、及び防護外バネ（２５）を含み、
第１エジェクトピン固定ブロック（２０）と第２エジェクトピン固定ブロック（２１）とが嵌って一体に形成されることによりブレーキブルホーン（９）に接続され、
前記ブレーキ警告装置（１０）の固定部は、第１固定ブロック（２６）、及び第２固定ブロック（２７）を含み、
第１固定ブロック（２６）と第２固定ブロック（２７）とがハンドルバー（４）上に取り付けることができるループ構造を形成するように組み立てられ、
前記誘導スイッチ（２８）が第１固定ブロック（２６）上に位置し、
前記第２エジェクトピン（２４）が第１固定ブロック（２６）を通過して誘導スイッチ（２８）に接触し、
前記ハンドルバー（４）上にはメータが設けられ、前記メータ内には無線放射機が設置され、
後側の車輪（２）の上側に位置する自転車体フレーム（１）上には、第６ブレーキランプ（３１）が設けられ、前記第６ブレーキランプ（３１）と前記ブレーキ警告装置（１０）とが有線により接続され、
前記ハンドルバー（４）の両側の底部には、ターンシグナルランプが設けられる
ことを特徴とする自転車又はオートバイの手柄上に取り付けたブレーキ警告装置。
【請求項２】
前記誘導スイッチ（２８）には、無線信号放射機（３２）が設けられ、
前記提示ランプ（５０）には、有無線信号受信機が設けられ、
誘導スイッチ（２８）と提示ランプ（５０）との間が、無線方式により通信接続される、
ことを特徴とする請求項１に記載の自転車又はオートバイの手柄上に取り付けたブレーキ警告装置。
【請求項３】
前記提示ランプ（５０）は、第１ブレーキランプ（１１）、第２ブレーキランプ（１２）、第３ブレーキランプ（１３）、第４ブレーキランプ（１４）、及び第５ブレーキランプ（１５）を含み、
前記第１ブレーキランプ（１１）が安全ヘルメット上に装着され、
前記第２ブレーキランプ（１２）が衣類に嵌まり込み、
前記第３ブレーキランプ（１３）が携帯式ウエストパックに嵌まり込み、
前記第４ブレーキランプ（１４）がクッション（５）下側の自転車体フレーム（１）上に装着され、
前記第５ブレーキランプ（１５）がトランク（６）の表面に装着される、
ことを特徴とする請求項１に記載の自転車又はオートバイの手柄上に取り付けたブレーキ警告装置。
【請求項４】
前記ブレーキブルホーン（９）によりブレーキ警告装置（１０）移動部の第２エジェクトピン（２４）にタッチさせて誘導スイッチ（２８）をトリガリングすることにより、自転車の後方に取り付ける提示ランプ（５０）を作動させるか、又は、作動させない、
ことを特徴とする請求項１に記載の自転車又はオートバイの手柄上に取り付けたブレーキ警告装置。
【考案の詳細な説明】
【技術分野】
【０００１】
本考案は、自転車、三輪車、オートバイのセット部品製造の技術分野に関し、具体的には、自転車又はオートバイの手柄上に取り付けるブレーキ警告装置に関する。
【背景技術】
【０００２】
例えば、都市の道路における車両と人口が密集している地域では、自転車、電動自転車、三輪車またはオートバイに乗って頻繁に行き交うことに対して、認識可能な安全提示ランプが欠如している。また、それを上記の車両に使用する場合、後方の車両は、前方の自転車、電動自転車、三輪車またはオートバイの制動意図を明確に理解することは難しく、使用者のブレーキ状態をすぐに把握することも困難であるので、後方の車両の追突を引き起こす可能性が高い。同時に、現在の都市の道路における車両と人口が密集している地域では、乗っている自転車、電動自転車に、明るい提示ランプがないならば、安全に十分でないという問題がある。そのため、本考案の思想は、安全かつ信頼性があり、リアルタイムでブレーキを使用する意図を知ることができるブレーキ警告装置を提供することである。
【考案の概要】
【考案が解決しようとする課題】
【０００３】
本考案の目的は、安全かつ信頼性があり、リアルタイムでブレーキを使用する意図を知ることができるブレーキ警告装置を提供し、後方の車両と人々がタイムリーに前方の車両がブレーキする場合の意図を知ることを高め、前をもって対策をタイムリーに講じてブレーキをかけ、、後方の車両の追突事故を回避させることである。
【０００４】
上記の目的を実現するために、本考案は、以下のような技術案を提供する。本考案は、自転車が付属するハンドルバーとブレーキブルホーンとの間に取り付けるブレーキ警告装置を含み、
前記ブレーキ警告装置は、移動部、固定部、誘導スイッチ、提示ランプを含む。
【０００５】
また、前記ブレーキ警告装置の移動部は、第１エジェクトピン固定ブロック、第２エジェクトピン固定ブロック、第１エジェクトピン、エジェクトピンバネ、第２エジェクトピン、防護外バネを含み、
第１エジェクトピン固定ブロックと第２エジェクトピン固定ブロックとが嵌って一体に形成されることによりブレーキブルホーンに接続され、
前記ブレーキ警告装置の固定部は、第１固定ブロック、第２固定ブロックを含み、
第１固定ブロックと第２固定ブロックとがハンドルバー上に取り付けることができるループ構造を形成するように組み立てられ、
前記誘導スイッチが第１固定ブロック上に位置し、
前記第２エジェクトピンが第１固定ブロックを通過して誘導スイッチに接触する。
【０００６】
ブレーキブルホーンによりブレーキ警告装置移動部の第２エジェクトピンにタッチさせて誘導スイッチをトリガリングすることにより、自転車の後方に取り付ける提示ランプを作動させるか、又は、作動させない。
【０００７】
前記の誘導スイッチ内には、無線信号放射機が設けられ、前記の提示ランプ内には、無線信号受信機が設けられ、誘導スイッチと提示ランプとの間が無線方式により通信接続される。前記の無線信号放射機と無線信号受信機は、いずれも市場で購入可能であり、ここではその構造の詳しい説明をしない。
【０００８】
前記提示ランプは、第１ブレーキランプ、第２ブレーキランプ、第３ブレーキランプ、第４ブレーキランプ、及び第５ブレーキランプを含み、前記第１ブレーキランプが安全ヘルメット上に装着され、前記第２ブレーキランプが衣類に嵌まり込み、前記第３ブレーキランプが携帯式ウエストパックに嵌まり込み、前記第４ブレーキランプがクッション下側の自転車体フレーム上に装着され、前記第５ブレーキランプがトランクの表面に装着される。
【０００９】
好ましくは、前記第１ブレーキランプ、第２ブレーキランプ、第３ブレーキランプ、第４ブレーキランプ、及び第５ブレーキランプの内部には、いずれもＭＴＵＮ型番の無線受信チップ装置が含まれる。
【００１０】
好ましくは、前記第１エジェクトピン固定ブロックと第２エジェクトピン固定ブロックとがブレーキブルホーンの外側に位置するとともに、それに強固に取り付けられ、前記第１固定ブロックと第２固定ブロックとがハンドルバーの外側に位置するとともに、それに強固に取り付けられる。
【００１１】
好ましくは、前記ハンドルバー上にはメータが設けられ、前記メータ内には、無線放射機が設置され、後側の前記車輪の上側に位置する自転車体フレーム上には、第６ブレーキランプが設けられ、前記第６ブレーキランプとブレーキ警告装置とが有線により接続される。
好ましくは、前記ハンドルバーの両側の底部には、ターンシグナルランプが設けられる。
【００１２】
以往の技術と比べて、本考案による有益な効果は、ライダーが運転途中でブレーキブルホーンを把持してブレーキする時に、ブレーキ動作による付勢力がブレーキブルホーン上に作用し、エジェクトピンが移動して誘導スイッチを連行してタッチすることにより、無線信号を提示ランプに含まれる無線受信チップに放射して、提示ランプが点灯し、複数のブレーキランプ信号の表示が１点により立体の１面になり、顕著な提示作用を奏し、ライダーの安全保護が向上される。
【００１３】
同時に、本考案は、自転車、電動自転車、三輪車、オートバイにセットされるセット部品製品であり、即座に手柄とブレーキブルホーンとの間に取り付ければよく、自転車等の車両を改装するか電源を削ぎ継ぎする必要がなく、安全上の問題は発生せず、消費者にとって、これはより人間化された考慮がある。
【図面の簡単な説明】
【００１４】
【図１】本実用新案の構造の概念図である。
【図２】本実用新案におけるブレーキ連行装置の具体的な構造の概念図である。
【図３】本実用新案におけるブレーキ連行装置の有線接続構造の概念図である。
【図４】本実用新案における無線放射機の回路ブロック図である。
【図５】本実用新案における提示ランプの回路流れ構造の概念図である。
【考案を実施するための形態】
【００１５】
以下に本考案の実施の形態における添付図面を参照して本考案の実施の形態における技術案を明確かつ完全に説明する。説明された実施の形態は、本考案における実施の形態の一部にすぎず、実施の形態のすべてではないことは明らかである。創造的な努力をせずに本考案の実施の形態に基づいて当業者によって得られる他のすべての実施の形態は、本考案の範囲内に含まれる。
実施例
図１から図５を参照して、本考案が提供する技術案は、自転車又はオートバイの手柄上に取り付けるブレーキ警告装置である。
【００１６】
自転車に付属するハンドルバー４とブレーキブルホーン９との間に取り付けるブレーキ警告装置１０を含み、自転車は、自転車体フレーム１、車輪２、スプロケット３、ハンドルバー４、クッション５、トランク６、フード７、ブレーキ手把柄８、及びブレーキブルホーン９を含み、ブレーキ警告装置１０は、移動部、固定部、誘導スイッチ２８、及び提示ランプ５０を含み、ブレーキ警告装置１０の移動部は、第１エジェクトピン固定ブロック２０、第２エジェクトピン固定ブロック２１、第１エジェクトピン２２、エジェクトピンバネ２３、及び第２エジェクトピン２４を含み、ブレーキ警告装置１０の固定部は、第１固定ブロック２６、及び第２固定ブロック２７を含む。誘導スイッチ２８が第１固定ブロック２６上に位置し、提示ランプ５０は、第１ブレーキランプ１１、第２ブレーキランプ１２、第３ブレーキランプ１３、第４ブレーキランプ１４、及び第５ブレーキランプ１５を含む。
【００１７】
本実施例において、第１ブレーキランプ１１が安全ヘルメット上に装着され、第２ブレーキランプ１２が衣類に嵌まり込み、第３ブレーキランプ１３が携帯式ウエストパックに嵌り込む。
本実施例において、第４ブレーキランプ１４がクッション５下側の自転車体フレーム１上に装着され、第５ブレーキランプ１５がトランク６の表面に装着される。
【００１８】
本実施例において、第１ブレーキランプ１１、第２ブレーキランプ１２、第３ブレーキランプ１３、第４ブレーキランプ１４、第５ブレーキランプ１５の内部には、いずれもＭＴＵＮ型番の無線受信チップ装置が含まれる。
【００１９】
本実施例において、第１エジェクトピン固定ブロック２０と第２エジェクトピン固定ブロック２１とがブレーキブルホーン９の外側に位置し、第１固定ブロック２６と第２固定ブロック２７とがハンドルバー４の外側に位置し、第２エジェクトピン２４が第２エジェクトピン固定ブロック２１と第１固定ブロック２６との両方の間に位置し、防護外バネ２５が第２エジェクトピン２４の外側に嵌設される。
【００２０】
本実施例において、ハンドルバー４上にはメータが設けられ、メータ内には無線信号放射機３２が設置され、後側の車輪２の上側に位置する自転車体フレーム１上には、第６ブレーキランプ３１が設けられ、第６ブレーキランプ３１とブレーキ警告装置１０とが有線により接続される。
本実施例において、ハンドルバー４の両側の底部には、ターンシグナルランプが設けられる。
本考案において、ブレーキ警告装置１０は、いずれの自転車、オートバイ、三輪車上にも適用することができ、原理も同じである。
【００２１】
本考案の作動原理及び使用手順は、ライダーが運転途中でブレーキブルホーン９を把持してブレーキする時に、ブレーキ動作による付勢力がブレーキブルホーン９上に作用し、且つブレーキブルホーン９がエジェクトピンの第１エジェクトピン固定ブロック２０、第２エジェクトピン固定ブロック２１を連行して上下移動させ、第２エジェクトピン２４が移動して誘導スイッチ２８にタッチすることにより、無線信号を提示ランプ５０に含まれる無線受信チップに放射して、提示ランプ５０が点灯し、複数のブレーキランプ信号の表示が１点により立体の１面になり、顕著な提示作用を奏し、ライダーの安全保護が向上され、後方の車両の追突事故を回避することができる。
【００２２】
本考案における実施の形態を示して説明したが、本考案の原理および要旨から逸脱することなく、これらの実施の形態に対して様々な変更、補正、置き換え、および変形をすることができることは、当業者によって理解され、本考案の範囲が実用新案登録請求の範囲およびその均等物によって限定される。
【符号の説明】
【００２３】
１  自転車体フレーム
２  車輪
３  スプロケット
４  ハンドルバー
５  クッション
６  トランク
７  フード
８  ブレーキ手把柄
９  ブレーキブルホーン
１０  ブレーキ警告装置
１１  第１ブレーキランプ
１２  第２ブレーキランプ
１３  第３ブレーキランプ
１４  第４ブレーキランプ
１５  第５ブレーキランプ
２０  第１エジェクトピン固定ブロック
２１  第２エジェクトピン固定ブロック
２２  第１エジェクトピン
２３  エジェクトピンバネ
２４  第２エジェクトピン
２５  防護外バネ
２６  第１固定ブロック
２７  第２固定ブロック
２８  誘導スイッチ
３１  第６ブレーキランプ
３２  無線信号放射機
５０  提示ランプ
【図１】
0003224554.tif 000003
【図２】
0003224554.tif 000004
【図３】
0003224554.tif 000005
【図４】
0003224554.tif 000006
【図５】
0003224554.tif 000007